(57)【特許請求の範囲】
【請求項１】
録画機器に録画可能な放送種別情報を含む録画プロファイルを取得する録画プロファイル取得部と、
取得した録画プロファイルを利用して利用者に録画予約情報を入力させる録画予約情報入力部と、
入力された録画予約情報に基づいて前記録画機器の録画予約制御命令を生成する命令生成部と、
生成された録画予約制御命令を外部出力する外部出力部と、
を有するディスプレイ装置。
【請求項２】
前記録画プロファイルは、録画機器に録画可能な放送種別情報に加え、視聴契約済チャンネル情報、録画媒体情報、録画形式情報、録画品質情報、のいずれか一又は二以上の組み合わせを含む請求項１に記載のディスプレイ装置。
【請求項３】
録画予約情報入力部は、取得した録画プロファイルに示される録画可能な放送種別又は／及び、視聴契約済チャンネル情報に基づいて電子番組表を表示する電子番組表表示手段を有する請求項１又は２に記載のディスプレイ装置。
【請求項４】
前記外部出力部は、録画予約制御命令を可搬型記録媒体に書込む媒体書込手段を有する請求項１から３のいずれか一に記載のディスプレイ装置。
【請求項５】
前記外部出力部は、ＨＤＭＩ（登録商標）ケーブルを介して前記録画予約制御命令を外部出力するＨＤＭＩ（登録商標）出力手段を有する請求項１から３のいずれか一に記載のディスプレイ装置。
【請求項６】
録画可能な放送種別情報を含む録画プロファイルを保持する第一録画プロファイル保持部と、
保持されている録画プロファイルを出力する第一録画プロファイル出力部と、を有する録画機器と、
請求項１から５のいずれか一に記載のディスプレイ装置と、
からなる録画予約システム。
【請求項７】
録画可能な放送種別情報を含む録画プロファイルを保持する第二録画プロファイル保持部と、
保持されている録画プロファイルを出力する第二録画プロファイル出力部と、
を有するセットトップボックス機器と、
請求項１から５のいずれか一に記載のディスプレイ装置と、
からなる録画予約システム。
【請求項８】
録画機器に録画可能な放送種別情報を含む録画プロファイルをディスプレイ装置にて取得する録画プロファイル取得ステップと、
取得した録画プロファイルを利用して利用者に録画予約情報を入力させる録画予約情報入力ステップと、
入力された録画予約情報に基づいて前記録画機器の録画予約制御命令を生成する命令生成ステップと、
生成された録画予約制御命令を外部出力する外部出力ステップと、
を有するディスプレイ装置の制御方法。
【請求項９】
録画機器に録画可能な放送種別情報又は／及び、視聴契約済チャンネル情報を含む録画プロファイルをディスプレイ装置にて取得する録画プロファイル取得ステップと、
取得した録画プロファイルに示される録画可能な放送種別又は／及び、視聴契約済チャンネル情報に基づいて電子番組表を表示する電子番組表表示ステップと、
表示した電子番組表を利用して利用者に録画予約情報を入力させる録画予約情報入力ステップと、
入力された録画予約情報に基づいて前記録画機器の録画予約制御命令を生成する命令生成ステップと、
生成された録画予約制御命令を外部出力する外部出力ステップと、
を有するディスプレイ装置の制御方法。
【発明の詳細な説明】
【技術分野】
【０００１】
本発明は、録画機器にて実行される録画処理に関する予約命令の受付けを、テレビジョン装置などその他の機器において効率的に行うための技術に関する。
【背景技術】
【０００２】
従来、ビデオ／ＨＤＤ／ＤＶＤレコーダーなどの放送番組の録画機器には、その録画処理に関する予約機能が備えられている。また昨今では、例えば映像出力装置であるテレビジョン装置と録画機器とが接続されたＡＶ（オーディオ・ビジュアル）システムにおいて、テレビジョン装置にてその録画予約の命令受付けを行う技術も提供されている。これは、例えば映像／音声信号に加え制御信号の送受信が可能なＨＤＭＩ（登録商標）ケーブルを利用し、テレビジョン装置で受付けた命令に従い録画機器を制御する、という具合の録画予約システムである。そしてこのシステムなどにより、様々な機器が接続されたＡＶシステムにおいて、例えばリビングにあるテレビジョン装置を中心として他の機器を統括的に制御することが可能になる。また、通電後の機械的な駆動を要する録画機器と比べて、基本的に電子回路への通電のみで起動が瞬時に実行されるテレビジョン装置において、素早く録画予約を行うことができるようにもなる。
【０００３】
また、特許文献１では、例えば移動中に携帯端末などで入力した録画予約のチャンネル情報や放送日時情報を、予約情報ファイルとして可搬型記録媒体に格納し、その可搬型記録媒体を自宅や外出先の機器に読み取らせることで録画予約を行う予約録画システムが開示されている。
【特許文献１】特開２００４−２２１７０７号公報
【発明の開示】
【発明が解決しようとする課題】
【０００４】
しかし上記従来の技術には、特許文献１の技術も含め以下のような課題がある。すなわち、テレビジョン装置や携帯端末では、例えば録画機器で録画可能な放送種別やチャンネルが何か、などは関知せずに録画予約の受付けを行う。そのため、地上アナログチューナーしか備えていない録画機器に対し、利用者がＣＳデジタル放送の番組を予約録画するよう入力し、結局録画できない、などの課題がある。また録画可能な放送種別の他にも、例えば録画機器にて対応している「録画媒体（ＨＤＤかＤＶＤかＶＨＳか、など）」や「録画形式（ＭＰＥＧ１／２／４かＨ２６４か、など）」、あるいは「録画品質（ビットレートやフレームレート、解像度などの制限）」などについてもテレビジョン装置などは関知しないため、それらの指定を行うことができない、という課題がある。
【課題を解決するための手段】
【０００５】
以上の課題を解決するために、本発明は、録画機器で録画可能に受信することができる、例えば地上アナログ放送波、地上デジタル放送波、ＢＳ／ＣＳ放送波、ケーブルテレビなど、の放送種別に関する情報や、その録画可能な媒体や録画可能な形式などの情報である「録画プロファイル」を取得し、その録画プロファイルに応じて予約録画の受付けを行うテレビジョン装置を提供する。具体的には、録画機器に録画可能な放送種別情報を含む録画プロファイルを取得する録画プロファイル取得部と、取得した録画プロファイルを利用して利用者に録画予約情報を入力させる録画予約情報入力部と、入力された録画予約情報に基づいて前記録画機器の録画予約制御命令を生成する命令生成部と、生成された録画予約制御命令を外部出力する外部出力部と、を有するディスプレイ装置である。
【０００６】
また、本発明は、上記テレビジョン装置と接続されて録画予約システムを形成する、録画機器やセットトップボックス機器も提供する。
【発明の効果】
【０００７】
以上のような構成をとる本発明によって、録画機器で録画可能な放送種別や録画形式などを考慮して、テレビジョン装置において録画予約を受付けることが可能になる。したがって、誤って録画機器で録画できない放送種別などを指定した録画予約によって結局録画できない、などの事態を回避することができる。また、録画機器での録画予約と同様に、その録画媒体や録画形式、録画品質などを細かく指定することもできるようになる。
【発明を実施するための最良の形態】
【０００８】
以下に、図を用いて本発明の実施の形態を説明する。なお、本発明はこれら実施の形態に何ら限定されるものではなく、その要旨を逸脱しない範囲において、種々なる態様で実施しうる。
【０００９】
なお、実施例１は、主に請求項１、２、８について説明する。また、実施例２は、主に請求項３、９について説明する。また、実施例３は、主に請求項４，５について説明する。また、実施例４は、主に請求項６について説明する。また、実施例５は、主に請求項７について説明する。
【００１０】
≪実施例１≫
<概要>
図１は、本実施例のテレビジョン装置での録画予約の受付けの一例について説明するための図である。この図にあるように、「テレビジョン装置」（０１００）と「録画機器」（０１１０）とが接続されている。ここで、録画予約を行おうと思った利用者は、起動の早いテレビジョン装置にて録画予約を行うため、テレビジョン装置を起動する。すると、テレビジョン装置のディスプレイには、接続された録画機器が備えるチューナーに合わせ、録画を所望する放送種別は「地上アナログ」「ＢＳデジタル」のいずれか、という具合に利用者に選択させる画面が表示される。そして利用者はこのように表示される予約画面を見ながら録画予約の入力を行う、という具合である。
【００１１】
このように、テレビジョン装置において、録画機器に応じた録画予約の入力を可能とすることで、例えばＣＳデジタルの番組の録画予約を利用者が行い、ＣＳデジタルチューナーを備えていないこの録画機器では結局録画できなかった、などの事態を回避することができる。
【００１２】
<機能的構成>
図２は、本実施例のディスプレイ装置における機能ブロックの一例を表す図である。この図にあるように、本実施例の「ディスプレイ装置」（０２００）は、「録画プロファイル取得部」（０２０１）と、「録画予約情報入力部」（０２０２）と、「命令生成部」（０２０３）と、「外部出力部」（０２０４）と、を有する。
【００１３】
なお、以下に記載する本テレビジョン装置や録画機器、セットトップボックス機器などの機能ブロックは、ハードウェア、ソフトウェア、又はハードウェア及びソフトウェアの両方として実現され得る。具体的には、コンピュータを利用するものであれば、ＣＰＵや主メモリ、バス、あるいは二次記憶装置（ハードディスクや不揮発性メモリ、ＣＤ−ＲＯＭやＤＶＤ−ＲＯＭなどの記憶メディアとそれらメディアの読取ドライブなど）、印刷機器や表示装置、その他の外部周辺装置などのハードウェア構成部やその外部周辺機器用のＩ／Ｏポート、それらハードウェアを制御するためのドライバプログラムやその他アプリケーションプログラム、情報入力に利用されるユーザーインターフェースなどが挙げられる。またこれらハードウェアやソフトウェアは、主メモリ上に展開したプログラムをＣＰＵで演算処理したり、メモリやハードディスク上に保持されているデータや、インターフェースを介して入力されたデータなどを加工、蓄積、出力処理したり、あるいは各ハードウェア構成部の制御を行ったりするために利用される。また、この発明は装置として実現できるのみでなく、方法としても実現可能である。また、このような発明の一部をソフトウェアとして構成することができる。さらに、そのようなソフトウェアをコンピュータに実行させるために用いるソフトウェア製品、及び同製品を記録媒体に固定した記録媒体も、当然にこの発明の技術的な範囲に含まれる（本明細書の全体を通じて同様である）。
【００１４】
「録画プロファイル取得部」（０２０１）は、録画機器に録画可能な放送種別情報を含む録画プロファイルを取得する機能を有する。なお「放送種別情報」とは、放送波の送信形態に応じて分類される種別や、デジタル放送波、アナログ放送波で分類される種別をいい、例えば、アナログまたはデジタルの地上波放送や、ＢＳ放送、ＣＳ放送、あるいはケーブルテレビ放送、またモバイル向けデジタル衛星放送などが挙げられる。
【００１５】
また「録画機器に録画可能な放送種別」とは、対応するチューナー回路が録画機器に備えられている、あるいは対応する外部チューナーが録画機器に接続されていることで録画可能な放送種別に加え、放送波が暗号化されていれば対応するデコーダーを備えていることや視聴契約などによりデコード機能が有効になっていることで録画可能な放送種別をいう。つまり、例えばＣＳチューナーを備えている録画機器であり、ＣＳ放送を受信可能であっても、視聴契約を結んでおらずデコード機能が無効であれば、放送を番組としては録画できないため録画不可能な放送種別ということになる。
【００１６】
図３は、この録画プロファイルの一例を表す図である。この図にあるように、録画プロファイル取得部で取得される録画プロファイルは例えばＸＭＬ形式で記述されたデータであり、このデータから録画機器では、「地上波アナログ放送」の「１ｃｈ」「３ｃｈ」・・・と、「ＢＳデジタル放送」の「１０１ｃｈ」・・・「１８１ｃｈ」が録画可能であることが分かる。
【００１７】
また、この録画プロファイルは、録画可能な放送種別の他に、視聴契約済チャンネル情報、録画媒体情報、録画形式情報、録画品質情報、のいずれか一又は二以上の組み合わせを含む情報であっても良い。「視聴契約済チャンネル情報」とは、有料チャンネルなどその視聴に際し契約が必要なチャンネルに関し、その契約が結ばれているチャンネルの識別情報をいう。「録画媒体情報」とは、録画機器において録画先の媒体を示す識別情報をいい、例えば各規格のＤＶＤや次世代ＤＶＤなどを含む相変化記録ディスク、ＨＤＤ（ハードディスクドライブ）、またはフラッシュメモリなどが挙げられる。「録画形式情報」とは、録画用のデータの符号化形式をいい、例えば無圧縮又は可逆圧縮符号化形式、ＭＰＥＧ１／２／４やＨ２６４、あるいはそれらに準拠するその他の非可逆符号化形式、または各社独自の非可逆符号化形式などが挙げられる。「録画品質情報」とは、録画動画像の品質に関する情報をいい、例えばビットレート、フレームレート、解像度などの上限や下限を示す数値、あるいは量子化係数、ＩフレームやＰフレームの出現頻度、Ｂフレームの有無、ノイズリダクション処理の有無、２Ｄや３Ｄ方向へのＹ／Ｃ分離処理の有無、輝度やガンマ値、色合いなどの各種補正処理の有無やそのパラメータ、などが挙げられる。
【００１８】
図４は、この録画プロファイルの別の一例を表す図である。この図にあるように、録画プロファイルは前述のように例えばＸＭＬ形式で記述され、このデータから録画機器で録画可能な「地上波アナログ放送」などの放送種別のほか、その録画機器での録画先媒体を示す「ＤＶＤ」「ＨＤＤ」（図中Ａの項目）や、その録画機器での録画形式を示す「ＭＰＥＧ２」「Ｈ２６４」（図中Ｂの項目）、またその録画機器で指定可能な録画品質を示す「フレームレート」「解像度」（図中Ｃの項目）を特定することができる。
【００１９】
なお、この録画プロファイル取得部での録画プロファイルの取得は、実際に録画処理を行う録画機器からケーブルなどを介して直接取得する方法や、フラッシュメモリなどの可搬型記録媒体を介して取得する方法が挙げられる。あるいは、テレビジョン装置の操作パネルやリモコンなどの入力インターフェースを用いて利用者に入力された録画プロファイルを取得する方法や、ネットワークに接続され、録画機器の製造／販売会社のサーバ装置から録画機器の識別情報をキーとしてその録画プロファイルをダウンロードする方法なども挙げられる。
【００２０】
そして、このような録画プロファイルを利用することで、テレビジョン装置において録画機器で録画可能な放送種別や視聴契約済チャンネル、その録画先の媒体や録画符号化形式などを利用者に示して録画予約の入力を行わせることができる。
【００２１】
「録画予約情報入力部」（０２０２）は、取得した録画プロファイルを利用して利用者に録画予約情報を入力させるための機能を有する。「録画予約情報」とは、録画予約に必要な情報をいい、例えば番組の放送局又は放送チャンネルの識別情報、番組の放送日時や開始時刻と放送終了時刻、放送時間など、が挙げられる。あるいは入力される録画予約情報は録画番組の識別情報のみで、放送チャンネルや放送時間など実際の録画処理に必要な情報はネットワーク上の電子番組表サーバ装置などから取得する構成であっても良い。
【００２２】
そして、この録画予約情報入力部では、利用者に録画プロファイルを利用した録画予約情報を入力させるようにすることで、例えば録画機器では録画できないＣＳデジタルの番組の予約録画などが行われないようにする、という具合である。
【００２３】
なお、その「録画プロファイルを利用した録画予約情報を入力」は、例えば録画プロファイルに基づいた録画予約情報入力用のＧＵＩ（グラフィカル・ユーザー・インターフェース）を、ＯＳＤ（オンスクリーン・ディスプレイ）機能でテレビジョン装置のディスプレイに表示することで実現する方法が挙げられる。「録画プロファイルに基づいたＧＵＩ」とは、録画プロファイルで示される上記の各種情報が指定できるようなＧＵＩをいう。具体的には、例えば録画プロファイルで示される録画機器で録画可能な放送種別が「地上アナログ」と「ＢＳデジタル」であった場合、図１に示すようにその２者を選択可能に表示することで、「ＣＳデジタル」などは選択できないようにするＧＵＩなどが挙げられる。
【００２４】
図５は、この録画予約情報入力部での、放送種別以外の録画予約情報入力の一例を表す図である。この図にあるような画像をテレビジョン装置のディスプレイにＯＳＤ表示することで、録画を所望する番組の放送チャンネルや放送日時、放送時刻を指定させ、また、録画設定としてその「（録画データの）記録先」や「（録画）形式」、「（録画）画質」などを利用者に入力させる、という具合である。
【００２５】
「命令生成部」（０２０３）は、入力された録画予約情報に基づいて前記録画機器の録画予約制御命令を生成する機能を有する。「録画予約制御命令」とは、録画機器にて取得される録画予約のための制御命令をいう。
【００２６】
図６は、この録画予約制御命令の一例を表す図である。この図にあるように、録画予約制御命令は、例えばＸＭＬ形式で記述されたデータであって、録画予約情報入力部で入力された録画予約情報から特定される放送種別や放送チャンネル、放送開始時刻や放送終了時刻、録画媒体や録画形式などを示すデータが挙げられる。なお、ここで生成される録画予約制御命令は、直接録画機器を制御する命令として生成されても良いし、録画機器での取得後に、その録画機器用の制御命令にコンバートされることで録画予約制御命令となるようなプレ録画予約制御命令などであっても良い。
【００２７】
「外部出力部」（０２０４）は、生成された録画予約制御命令を外部出力する機能を有する。この外部出力の方法としては、例えばＩＥＥＥケーブルなど、映像／音声ケーブルとは別の制御命令用ケーブルを利用して、直接接続されている録画機器に対して出力する方法や、赤外線通信などの無線通信で録画機器に対して出力する方法が挙げられる。また、後述の実施例３で説明するように、フラッシュメモリなどの可搬型記録媒体を利用して外部出力する方法や、ＨＤＭＩ（登録商標）ケーブルを利用して外部出力する方法なども挙げられる。
【００２８】
そして、このようにテレビジョン装置から外部出力された録画予約制御命令を、録画機器が直接的に、又は間接的に取得することで、テレビジョン装置にて入力された録画予約情報に従って録画機器にて所望の番組の録画処理が実行される、という具合である。
【００２９】
なお、この外部出力部での録画予約制御命令の出力タイミングは、ケーブルなどで録画機器と直接接続されているのであれば、命令の生成後すぐに出力されるよう構成しても構わない。また、録画機器が起動していない場合は、録画機器電源の起動制御命令をテレビジョン装置から送信し、その起動後に録画予約制御命令を送信したり、生成した命令をテレビジョン装置内のフラッシュメモリなどに保持しておき、録画機器の起動を検知してそのタイミングで出力したりするように構成しても良い。また、録画予約情報で示される録画開始時刻が近づくと同様の電源制御を行ったり、録画機器の電源入力を促すメッセージをテレビジョン装置のディスプレイに表示したりする構成であっても良い。
【００３０】
また、この録画プロファイルに応じて生成された録画予約制御命令を２台の録画機器に出力し、バックアップ録画を行うよう構成しても良い。これは、例えばいわゆる「コピーワンス」による録画制御が施されている番組のバックアップ録画を簡単に可能とするという効果を奏する。
【００３１】
また、録画予約制御命令の外部出力が、ＴＣＰ／ＩＰによる送信制御などを行いインターネット網を介した遠隔の録画機器に対する出力となるよう構成することで、例えば機械オンチなおじいちゃんやおばあちゃんの代行で録画予約を行うことができるようになる。あるいは、録画プロファイルを可搬型記録媒体に書込み携行していれば、旅行先などでの遠隔録画予約も可能になる。
【００３２】
<ハードウェア的構成>
図７は、上記機能的な各構成要件をハードウェアとして実現した際の、テレビジョン装置における構成の一例を表す概略図である。この図を利用してテレビジョン装置での録画プロファイルを利用した録画予約制御命令の出力処理におけるそれぞれのハードウェア構成部の働きについて説明する。この図にあるように、テレビジョン装置は、各種処理のための演算処理を行う「ＣＰＵ（中央演算装置）」（０７０１）と、「主メモリ」（０７０２）と、を備えている。またこの「ＣＰＵ」と「主メモリ」の演算処理によって命令生成部の機能が実現される。また、このディスプレイ装置は録画プロファイル取得部、および外部出力部である「Ｉ／Ｏ（インプット／アウトプット）」（０７０３）や、録画予約情報入力部である「入力デバイス」（０７０４）を備えている。
【００３３】
また、その他にも、取得した録画プロファイルなどの各種設定情報を保持しておくための「ＥＥＰＲＯＭ」（０７０５）や、録画プロファイルを利用した録画予約情報を入力させるための「ビデオ処理回路」（０７０６）や「ＯＳＤ回路」（０７０７）、「ディスプレイ」（０７０８）なども備えている。そしてそれらが「システムバス」（０７０９）などのデータ通信経路によって相互に接続され、情報の送受信や処理を行う。
【００３４】
「主メモリ」は、録画予約受付プログラムを実行するために読み出すと同時にそのプログラムの作業領域でもあるワーク領域を提供する。また、この「主メモリ」や「ＥＥＰＲＯＭ」などにはそれぞれ複数のメモリアドレスが割り当てられており、「ＣＰＵ」で実行されるプログラムは、そのメモリアドレスを特定しアクセスすることで相互にデータのやりとりを行い、処理を行うことが可能になっている。
【００３５】
（録画プロファイル取得部の処理）
ここで、予め「録画機器」（０７１０）から、その録画可能な放送種別や録画媒体、録画形式、録画品質などに関する録画プロファイルが、接続ケーブルなどを介し「Ｉ／Ｏ」（０７０３）からディスプレイ装置に取得され、「主メモリ」（０７０２）のアドレス１に格納される。すると「ＣＰＵ」（０７０１）は主メモリに展開されているプログラムを実行し、「主メモリ」のアドレス１に格納されている録画プロファイルを「ＥＥＰＲＯＭ」（０７０５）のアドレス１に格納、保持するための命令を出力する。これにより録画プロファイルが「ＥＥＰＲＯＭ」に書込まれ、そのアドレス１に保持される。
【００３６】
その後、利用者がテレビジョン装置にて録画機器の録画予約を行うため、テレビジョン装置のリモコンなどの「入力デバイス」（０７０４）を操作し、録画予約入力モードを実行する命令を入力する。すると、「ＥＥＰＲＯＭ」などに保持されている録画予約プログラムが「主メモリ」のワーク領域に読み込まれ、録画予約の受け付けなどを行うための以下のような処理が実行される。
【００３７】
（録画予約情報入力部の処理）
まず、「ＣＰＵ」は「ＥＥＰＲＯＭ」のアドレス１を指定し、そこに保持されている録画プロファイルを「主メモリ」のアドレス１に読み出す。また複数の録画プロファイルが「ＥＥＰＲＯＭ」に格納されている場合は、録画機器の識別情報と録画プロファイルとを関連付けて保持することで、録画機器の識別情報をキーとして録画プロファイルを選択取得するよう構成すると良い。
【００３８】
そして上記のように「主メモリ」のアドレス１に格納された図３や図４に示すような録画プロファイルから、「ＣＰＵ」の演算処理によって「放送種別」や「録画媒体」、「録画形式」、「録画品質」などの各項目のデータを抽出する。そしてそれら抽出した各項目のデータを「ビデオ処理回路」（０７０６）に出力する。「ビデオ処理回路」では、図１や図５に示すように、抽出データに従って録画予約の項目が選択できるようその画面情報を生成し、「ＯＳＤ回路」（０７０７）の処理によりその画面情報を「ディスプレイ」（０７０８）にＯＳＤ表示する。
【００３９】
利用者は、このようにしてテレビジョン装置のディスプレイに表示された図１や図５に示すような画面を見ながらリモコンなどの「入力デバイス」を操作して録画プロファイルで示される「放送種別」などを選択し、またその録画予約番組の放送チャンネルや放送日時をすることで、所望の番組に関する録画予約情報を入力する。
【００４０】
（命令生成部、外部出力部の処理）
「ＣＰＵ」では、このように「入力デバイス」などから入力された録画予約情報を、図６に示すようなＸＭＬ形式で記述された録画予約制御命令として生成し、「主メモリ」のアドレス２に格納する。そして「ＣＰＵ」の命令により、「主メモリ」のアドレス２に格納された録画予約制御命令が「Ｉ／Ｏ」から、接続ケーブルを介し「録画機器」に出力され、録画機器にて実際の録画予約処理が実行される、という具合である。
【００４１】
<処理の流れ>
図８は、本実施例のテレビジョン装置における処理の流れの一例を表すフローチャートである。なお、以下に示すステップは、媒体に記録され計算機を制御するためのプログラムを構成する処理ステップであっても構わない。この図にあるように、まず、テレビジョン装置にて録画プロファイルを取得する（ステップＳ０８０１）。そして取得した録画プロファイルを利用して、例えば図１や図５に示すような画面表示を行うことで利用者から入力された録画予約情報を受付ける（ステップＳ０８０２）。続いて入力された録画予約情報に基づいて、録画機器用の録画予約制御命令を生成し（ステップＳ０８０３）、最後に、生成された録画予約制御命令を外部に出力する（ステップＳ０８０４）。
【００４２】
<効果の簡単な説明>
以上のように、録画プロファイルを利用する本実施例のテレビジョン装置によって、録画可能な放送種別など録画機器に応じた録画予約の入力を可能となる。したがって、例えば、ＣＳデジタルチューナーを備えていない録画機器でＣＳデジタルの番組の録画予約を利用者が行い、結局録画できなかった、などの事態を回避することができる。また、その録画媒体や録画形式、録画品質など録画機器側の録画設定に関する各種情報を録画プロファイルに含めることで、録画機器での録画予約と同様に細かく指定を行った録画予約を行うこともできるようになる。
【００４３】
≪実施例２≫
<概要>
本実施例は、実施例１を基本として、さらにその録画予約情報の入力に電子番組表を利用する点を特徴としたテレビジョン装置である。もちろんここで表示される電子番組表は、録画プロファイルに従って視聴契約済チャンネルのラテ欄のみの電子番組表、といった具合に録画プロファイルを利用して録画予約情報を入力することができるように生成された電子番組表である。そしてこのような電子番組表を利用することで、利用者の録画予約情報入力を簡単に行わせることができるようになる。
【００４４】
<機能的構成>
図９は、本実施例のテレビジョン装置における機能ブロックの一例を表す図である。この図にあるように、本実施例の「ディスプレイ装置」（０９００）は、実施例１を基本として、「録画プロファイル取得部」（０９０１）と、「録画予約情報入力部」（０９０２）と、「命令生成部」（０９０３）と、「外部出力部」（０９０４）と、を有する。なお、これら「録画プロファイル取得部」と、「録画予約情報入力部」と、「命令生成部」と、「外部出力部」と、に関しては、実施例１にて既に記載済みであるのでその説明は省略する。そして本実施例のテレビジョン装置の特徴点は、その「録画予約情報入力部」が「電子番組表表示手段」（０９０５）を備える点である。
【００４５】
「電子番組表表示手段」（０９０５）は、取得した録画プロファイルに示される録画可能な放送種別又は／及び、視聴契約済チャンネル情報に基づいて電子番組表を表示する機能を有する。このように電子番組表表示手段では、電子番組表にて示される放送種別やチャンネルなどの項目を、録画プロファイルで示される「放送種別」や「視聴契約済チャンネル」となるよう編集生成して表示することを特徴とする。
【００４６】
図１０は、電子番組表表示手段で表示される電子番組表の一例を表す図である。この図１０（ａ）にあるように、取得した録画プロファイルで示される視聴契約済チャンネルにＢＳデジタル放送の有料チャンネル「１８１ｃｈ」が含まれている場合、この電子番組表にはその「１８１ｃｈ」の番組欄が含まれる形で表示される。そして利用者はカーソルαを移動させ、録画予約を希望する番組を選択することで簡単に録画予約を行うことができる。一方、この図１０（ｂ）にあるように、取得した録画プロファイルで示される視聴契約済チャンネルに「１８１ｃｈ」が含まれていない場合、その「１８１ｃｈ」の番組欄が含まれない形でこの電子番組表が表示される、という具合である。したがって、実施例１同様、録画できないチャンネルを指定するなどの事態を回避することができる。
【００４７】
なお、この電子番組表表示手段は、具体的には、例えば放送波に含まれる電子番組表をチューナーにて受信取得したり、インターネット上のサーバ装置から電子番組表を取得したりして、ビデオ処理回路の処理を経てディスプレイに電子番組表を表示することで実現できる。
【００４８】
<ハードウェア的構成>
また、本実施例のテレビジョン装置の上記機能的構成をハードウェア構成として実現する場合、その一例は、実施例１にて図７を利用して説明した構成に加え、さらに「インターネット回線接続回路」や「チューナー」、「二次記憶装置（フラッシュメモリやＨＤＤなど）」を備えている構成が挙げられる。そして、電子番組表の取得に関しては、前述のように「インターネット回線接続回路」の制御によってインターネット上の電子番組表サーバ装置から電子番組表を取得したり、チューナーで受信した放送波に含まれる電子番組表を取得したりすると良い。また、その他にも、録画機器にて同様に取得された電信番組表を、「Ｉ／Ｏ」を介して取得する構成としても良い。そして、このようにして取得した電子番組表を、「二次記憶装置」の所定アドレスに格納する。
【００４９】
その後、利用者が操作する「入力デバイス」からの録画予約入力モードの選択信号を取得すると、その電子番組表を「ビデオ処理回路」などの処理により「ディスプレイ」に表示する、という具合である。
【００５０】
<処理の流れ>
図１１は、本実施例のテレビジョン装置における処理の流れの一例を表すフローチャートである。なお、以下に示すステップは、媒体に記録され計算機を制御するためのプログラムを構成する処理ステップであっても構わない。この図にあるように、まず、テレビジョン装置にて、録画可能な放送種別、又は／及び視聴契約済チャンネル情報を含む録画プロファイルを取得する（ステップＳ１１０１）。次に、その取得した録画プロファイルで示される録画可能な放送種別、又は／及び視聴契約済チャンネル情報に基づいて、例えば図１０に示すような電子番組表をディスプレイなどに表示する（ステップＳ１１０２）。
【００５１】
そして、その表示された電子番組表を利用して利用者から入力された録画予約情報を受付ける（ステップＳ１１０３）。続いて入力された録画予約情報に基づいて、録画機器用の録画予約制御命令を生成し（ステップＳ１１０４）、最後に、生成された録画予約制御命令を外部に出力する（ステップＳ１１０５）。
【００５２】
<効果の簡単な説明>
以上のように、本実施例のテレビジョン装置によって、電子番組表を利用して簡単に録画予約情報を入力することが可能となる。また、その電子番組表は録画プロファイルで示される放送種別や視聴契約済チャンネルによって編集処理などがなされた電子番組表であるため、録画機器で録画できないなどの誤った録画予約情報の入力を防ぐことができる。
【００５３】
≪実施例３≫
<概要>
図１２は、本実施例のテレビジョン装置における特徴点を説明するための概念図である。この図にあるように、本実施例は、実施例１や実施例２を基本として、録画プロファイルを利用して生成した録画予約制御命令を、フラッシュメモリなどの可搬型記録媒体に書込む機能を備えていることを特徴とするテレビジョン装置（１２００）である。このように、録画予約制御命令を可搬型記録媒体に書込み外部に出力する機能を備えることで、テレビジョン装置と録画機器（１２１０）との間で制御命令送受信用ケーブルなどを映像／音声信号とは別に接続しなくとも、録画予約制御命令の受渡しを行うことが可能になる。したがって、テレビジョン装置と録画機器で接続が必要なケーブル数を減らすことができるので、その装置周りの配線をすっきりさせることができる。
【００５４】
また、この録画予約制御命令を書込む可搬型記録媒体に、予め録画プロファイルを格納しておけば、例えば二階寝室の録画機器の録画予約を、その録画機器とはケーブルや無線通信などで接続されていない１階リビングのテレビジョン装置で行う、あるいは友人宅のテレビジョン装置で自宅のテレビジョン装置用の録画予約を行う、といった具合に好きな時に好きな場所で録画予約を行うことができる。
【００５５】
図１３は、本実施例のテレビジョン装置における特徴点の別の一例を説明するための概念図である。この図にあるように、本実施例の別の一例は、実施例１や実施例２を基本として、録画プロファイルを利用して生成した録画予約制御命令を、ＨＤＭＩ（登録商標）ケーブルにて録画機器（１３１０）などに対して外部出力する機能を備えていることを特徴とするテレビジョン装置（１３００）である。ＨＤＭＩ（登録商標）規格では、映像／音声信号に加え、制御信号の送受信を１つのケーブルで行うことができるので、このＨＤＭＩケーブルを利用する場合も、その装置周りの配線をすっきりさせることができる。また、録画予約制御命令の他に、テレビジョン装置から録画機器の電源制御命令などを出力することができるため、例えば利用者は録画機器の電源投入を今後一度も行うことなくテレビジョン装置での操作のみで録画予約を行うことも可能になる。したがって、省エネ効果を期待することもできる。
【００５６】
また、逆に録画機器から本実施例のテレビジョン装置の制御命令を出力させることもできる。そこで、例えば録画機器のファームウェアアップデートなどにより、録画可能なビットレート上限など録画プロファイルに変更があった場合、自動的にテレビジョン装置側のＥＥＰＲＯＭなどに保持されている録画プロファイルを変更する、などの制御を行うことができる。また、この録画機器のチューナーで受信した電子番組表情報をテレビジョン装置に送信し、実施例２で説明したように録画予約情報の入力にその電子番組表を利用させることもできる。
【００５７】
<機能的構成>
図１４は、本実施例のテレビジョン装置における機能ブロックの一例を表す図である。この図にあるように、本実施例の「ディスプレイ装置」（１４００）は、実施例１を基本として、「録画プロファイル取得部」（１４０１）と、「録画予約情報入力部」（１４０２）と、「命令生成部」（１４０３）と、「外部出力部」（１４０４）と、を有する。また図示していないが、実施例２を基本として、さらに「電子番組表表示手段」を有していても良い。なお、これら「録画プロファイル取得部」と、「録画予約情報入力部」と、「命令生成部」と、「外部出力部」と、また「電子番組表表示手段」と、に関しては、実施例１や実施例２にて既に記載済みであるのでその説明は省略する。そして本実施例のテレビジョン装置の特徴点は、その「外部出力部」が「媒体書込手段」（１４０５）、又は「ＨＤＭＩ出力手段」（１４０５）を備える点である。
【００５８】
「媒体書込手段」（１４０５）は、録画予約制御命令を可搬型記録媒体に書込む機能を有する。「可搬型記録媒体」とは、利用者が持ち運ぶことが可能な記録媒体をいい、例えばフラッシュメモリ、磁気記録メディア、ＤＶＤなどの相変化記録ディスク、ｉＶＤＲ規格などのリムーバブルディスク、あるいは格納データの書換えが可能なＩＣチップ搭載のカードなどが挙げられる。そして、これら可搬型記録媒体に録画予約制御命令を書込むことで、前述のように、装置周りの配線をすっきりさせることができる。また、この録画予約制御命令を書込む可搬型記録媒体に録画プロファイルを格納しておけば、好きな時に好きな場所で録画予約を行うことができる。
【００５９】
なお、この媒体書込手段は、例えばそれぞれの記録媒体に応じた書込みドライブやその制御チップなどによって実現することができる。
【００６０】
「ＨＤＭＩ出力手段」（１４０５）は、ＨＤＭＩ（登録商標）ケーブルを介して前記録画予約制御命令を外部出力する機能を有する。このＨＤＭＩ出力手段は、例えばＨＤＭＩ接続端子やその制御チップなどで実現することができ、録画機器（１４１０）側のＨＤＭＩ端子との間でＨＤＭＩケーブルを接続することで録画予約制御命令の出力を行うと良い。そして、ＨＤＭＩケーブルを介して録画予約制御命令を出力することで、前述のように、装置周りの配線をすっきりさせることができる。またテレビジョン装置から録画機器の電源オン／オフを制御し、テレビジョン装置側からの操作のみで録画予約を行い、省エネ効果を期待することもできる。また、録画機器のファームウェアアップデートなどにより録画プロファイルに変更があった場合、自動的にテレビジョン装置側で保持されている録画プロファイルを変更する、などの制御を行うこともできる。
【００６１】
<ハードウェア的構成>
また、本実施例のテレビジョン装置の上記機能的構成をハードウェア構成として実現する場合、その一例は、実施例１にて図７を利用して説明した構成に加え、さらに可搬型記録媒体用の「媒体書込ドライブ」や、「Ｉ／Ｏ」を制御する「ＨＤＭＩ（登録商標）制御回路」や、その「Ｉ／Ｏ」に接続されたや「ＨＤＭＩ（登録商標）ケーブル」などを備えている構成が挙げられる。そして、可搬型記録媒体への書き込みに関しては、「媒体書込ドライブ」にセットされた可搬型記録媒体に、「主メモリ」の所定アドレスに格納された録画予約制御命令を書込む処理を行う。また、ＨＤＭＩ（登録商標）ケーブルを介した出力に関しては、「主メモリ」の所定アドレスに格納された録画予約制御命令を「ＨＤＭＩ（登録商標）制御回路」にてＨＤＭＩの送信規格に従った情報形式などに変換し、「ＨＤＭＩ（登録商標）ケーブル」を介して「録画機器」に出力する、という具合である。
【００６２】
<処理の流れ>
図１５は、本実施例のテレビジョン装置における処理の流れの一例を表すフローチャートである。なお、以下に示すステップは、媒体に記録され計算機を制御するためのプログラムを構成する処理ステップであっても構わない。この図にあるように、まず、テレビジョン装置にて録画プロファイルを取得する（ステップＳ１５０１）。そして取得した録画プロファイルを利用して、例えば図１や図５に示すような画面表示を行うことで利用者から入力された録画予約情報を受付ける（ステップＳ１５０２）。続いて入力された録画予約情報に基づいて、録画機器用の録画予約制御命令を生成する（ステップＳ１５０３）。
【００６３】
そして最後に、生成された録画予約制御命令を、可搬型記録媒体に書込むことで、又はＨＤＭＩケーブルを介して外部に出力する（ステップＳ１５０４）。
【００６４】
<効果の簡単な説明>
以上のように、本実施例のテレビジョン装置によって、別途制御命令送受信用のケーブルを接続する必要がなくなるため、装置周りの配線をすっきりさせることができる。また、録画予約制御命令の外部出力に可搬型記録媒体を利用する場合、その可搬型記録媒体に録画プロファイルを格納しておけば、好きな時に好きな場所で録画予約を行うことができる。
【００６５】
また、録画予約制御命令をＨＤＭＩケーブルを介して外部出力する場合、テレビジョン装置から録画機器の電源オン／オフを制御し、テレビジョン装置側からの操作のみで録画予約を行い、省エネ効果を期待することもできる。また、録画機器のファームウェアアップデートなどにより録画プロファイルに変更があった場合、自動的にテレビジョン装置側録画プロファイルを変更する、などの制御を行うこともできる。
【００６６】
≪実施例４≫
<概要>
本実施例は、実施例１や実施例２、実施例３のテレビジョン装置との間で録画プロファイルや録画予約制御命令の受渡し処理を行い、実際に録画予約された番組の録画処理を行う機能を備えた録画機器に関する実施例である。
【００６７】
<機能的構成>
図１６は、本実施例の録画機器における機能ブロックの一例を表す図である。この図にあるように、本実施例の「録画機器」（１６１０）は、「第一録画プロファイル保持部」（１６１１）と、「第一録画プロファイル出力部」（１６１２）と、を有する。なお、「録画機器」とは、録画機能を備えた機器をいい、その録画記録先となる媒体は、ＨＤＤ、ＤＶＤや次世代ＤＶＤ、フラッシュメモリなど様々であって良い。
【００６８】
「第一録画プロファイル保持部」（１６１１）は、録画可能な放送種別情報を含む録画プロファイルを保持する機能を有する。「録画プロファイル」とは、前述の通りであって、録画可能な放送種別情報の他にも、例えば視聴契約済チャンネル情報、録画媒体情報、録画形式情報、録画品質情報なども挙げられる。そしてこの第一録画プロファイル保持部は、例えばＥＥＯＲＯＭやその他フラッシュメモリ、ＨＤＤなどで実現することができる。
【００６９】
「第一録画プロファイル出力部」（１６１２）は、保持されている録画プロファイルを出力する機能を有する。このように録画機器で保持されている録画プロファイルを出力し、テレビジョン装置に取得させることで、実施例１などのテレビジョン装置（１６００）にてその録画プロファイルを利用した電子番組表などを表示することができる。したがって本実施例の録画機器のための録画予約の入力を、それらテレビジョン装置にて行うことができるようになる。
【００７０】
なお、この録画プロファイルの出力は、テレビジョン装置との間で接続されているケーブルを介して直接テレビジョン装置に対して行われても良い。あるいは可搬型記録媒体やインターネット網に対して出力される構成とすることで、前述の通り遠隔地のテレビジョン装置において録画予約が行うことできるようにしても良い。
【００７１】
<ハードウェア的構成>
図１７は、上記機能的な各構成要件をハードウェアとして実現した際の、録画機器における構成の一例を表す概略図である。この図を利用して録画機器での録画プロファイルの出力処理におけるそれぞれのハードウェア構成部の働きについて説明する。この図にあるように、録画機器は、各種処理のための演算処理を行う「ＣＰＵ」（１７１１）と、「主メモリ」（１７１２）と、を備えている。また、この録画機器は第一録画プロファイル保持部である「ＥＥＰＲＯＭ」（１７１３）や、第一録画プロファイル出力部である「Ｉ／Ｏ」（１７１４）を備えている。
【００７２】
また、その他にも、番組放送波を受信するための「チューナー」（１７１５）や図示を省略している「デコーダー」、あるいは録画プロファイルの編集やその他録画機器の操作を行うための「入力インターフェース」（１７１６）、また予約時刻を知るための「内蔵時計」（１７１７）や、テレビジョン装置からの録画予約制御命令に応じて実際の録画処理を行う「録画回路」（１７１８）なども備えている。そしてそれらが「システムバス」などのデータ通信経路によって相互に接続され、情報の送受信や処理を行う。
【００７３】
（録画プロファイル保持部の処理）
ここで、予め工場出荷段階や、その後の「入力インターフェース」（１７１６）のボタン操作などにより、「ＥＥＰＲＯＭ」（１７１３）の所定アドレスにこの録画機器に関するその録画可能な放送種別や録画媒体、録画形式、録画品質などを示す録画プロファイルが記録され保持される。
【００７４】
（録画プロファイル出力部の処理）
そして、例えばこの録画機器とテレビジョン装置との接続を自動的に検知、あるいは「入力インターフェース」からの録画プロファイル出力命令の入力、などを受け、「ＣＰＵ」（１７１１）は、上記のように「ＥＥＰＲＯＭ」に保持されている録画プロファイルを「主メモリ」（１７１２）のアドレス１に格納する。そして、その録画プロファイルを「Ｉ／Ｏ」（１７１４）から例えばテレビジョン装置（１７００）に対してケーブルを介し出力する、といった処理を行う。
【００７５】
（録画プロファイルを利用した予約録画処理）
テレビジョン装置ではこのようにして出力された録画プロファイルを取得し、前述のように録画予約情報を入力させ、録画予約制御命令を生成する。そしてその録画予約制御命令が「Ｉ／Ｏ」にてこの録画機器に取得されると、まず、その録画予約制御命令は「主メモリ」のアドレス２に格納される。続いて、「ＣＰＵ」はその録画予約制御命令で示される予約録画番組の放送チャンネルや、「内蔵時計」（１７１７）から判断される放送開始時刻、放送終了時刻などの情報に合わせて、「チューナー」（１７１５）や「録画回路」（１７１８）の制御を行い、ＨＤＤやＤＶＤなどの記録媒体にその予約録画番組の録画を実行する、という具合である。
【００７６】
<処理の流れ>
図１８は、本実施例の録画機器における処理の流れの一例を表すフローチャートである。なお、以下に示すステップは、媒体に記録され計算機を制御するためのプログラムを構成する処理ステップであっても構わない。この図にあるように、まず、録画機器にて録画プロファイルを保持するために記録する（ステップＳ１８０１）。そして保持されている録画プロファイルを出力する（ステップＳ１８０２）。
【００７７】
そして、このようにして出力された録画プロファイルが、テレビジョン装置に取得され、実施例１などで説明したように録画予約情報の取得、録画予約制御命令の生成などが行われる。そして、テレビジョン装置から外部出力された録画予約制御命令に従い録画処理を実行する。
【００７８】
<効果の簡単な説明>
以上のように、本実施例の録画機器によって、テレビジョン装置に対して、自身の録画プロファイルを出力することができる。したがって、上記実施例のテレビジョン装置と本実施例の録画機器とを連携させ、録画予約システムを構築することができる。
【００７９】
≪実施例５≫
<概要>
本実施例は、実施例４の録画機器と同様に、録画可能な放送種別情報を含む録画プロファイルを実施例１などのテレビジョン装置に対して出力する機能を備えたセットトップボックス機器である。なお本明細書における「セットトップボックス機器」とは、録画機器やテレビジョン装置とは別個のチューナー（例えばケーブルテレビや衛星テレビなど）を備えた装置であり、テレビジョン装置や録画機器の外部チューナーとしての役割を果たす装置をいう。ただし、２００６年現在、セットトップボックスと呼称される装置に録画機能を内蔵させたものが提供されているが、本明細書では録画機能を有するものは全て録画機器とする。
【００８０】
<機能的構成>
図１９は、本実施例のセットトップボックス機器における機能ブロックの一例を表す図である。この図にあるように、本実施例の「セットトップボックス機器」（１９２０）は、「第二録画プロファイル保持部」（１９２１）と、「第二録画プロファイル出力部」（１９２２）と、を有する。また、この「セットトップボックス機器」は、その他にも録画機器（１９１０）の外部チューナーとしてチューナー機能やデコード機能を備え、そこで受信した放送信号を録画機器に対して出力している。
【００８１】
「第二録画プロファイル保持部」（１９２１）は、録画可能な放送種別情報を含む録画プロファイルを保持する機能を有する。「録画プロファイル」とは、前述の通り録画機器で録画可能にセットトップボックス機器で受信する放送種別情報を含む。またその他、視聴契約済チャンネル情報などが含まれていても良い。なお、録画媒体情報、録画形式情報、録画品質情報などの録画プロファイルは通常録画機器での録画設定に関する情報であるので、このセットトップボックス機器で保持されている録画プロファイルには含まれている必要は無い。
【００８２】
「第二録画プロファイル出力部」（１９２２）は、保持されている録画プロファイルを出力する機能を有する。このようにセットトップボックス機器にて録画プロファイルを保持し、出力するような構成とし、このセットトップボックス機器とディスプレイ装置と録画機器とで録画予約システムを構成しても構わない。
【００８３】
なお、このセットトップボックス機器のハードウェア的構成は、実施例４の録画機器のハードウェア的構成と同様であり、主な相違点は録画機能を実現する「録画回路」をセットトップボックス機器は備えていない点などである。
【００８４】
<処理の流れ>
図２０は、本実施例のセットトップボックス機器における処理の流れの一例を表すフローチャートである。なお、以下に示すステップは、媒体に記録され計算機を制御するためのプログラムを構成する処理ステップであっても構わない。この図にあるように、まず、セットトップボックス機器にて録画プロファイルを保持するために記録する（ステップＳ２００１）。そして保持されている録画プロファイルを出力する（ステップＳ２００２）。
【００８５】
そして、このようにして出力された録画プロファイルが、テレビジョン装置に取得され、実施例１などで説明したように録画予約情報の取得、録画予約制御命令の生成などが行われる。そして、テレビジョン装置から外部出力された録画予約制御命令に従いセットトップボックス機器では放送信号の受信処理が、そして録画機器ではその放送信号の録画処理が実行される。
【００８６】
<効果の簡単な説明>
以上のように、本実施例のセットトップボックス機器によって、テレビジョン装置に対して、録画機器にて録画可能な放送種別や視聴契約済チャンネル情報を含む録画プロファイルを出力することができる。したがって、上記実施例のテレビジョン装置と本実施例のセットトップボックス機器、また録画機器を連携させ、録画予約システムを構築することができる。
【図面の簡単な説明】
【００８７】
【図１】実施例１のテレビジョン装置での録画予約の受付けの一例について説明するための図
【図２】実施例１のテレビジョン装置における機能ブロックの一例を表す図
【図３】実施例１のテレビジョン装置の録画プロファイル取得部で取得される録画プロファイルの一例を表す図
【図４】実施例１のテレビジョン装置の録画プロファイル取得部で取得される録画プロファイルの、別の一例を表す図
【図５】実施例１のテレビジョン装置の録画予約情報入力部での、放送種別以外の録画予約情報入力の一例を表す図
【図６】実施例１のテレビジョン装置の命令生成部で生成される録画予約制御命令の一例を表す図
【図７】実施例１のテレビジョン装置におけるハードウェア構成の一例を表す図
【図８】実施例１のテレビジョン装置における処理の流れの一例を表すフローチャート
【図９】実施例２のテレビジョン装置における機能ブロックの一例を表す図
【図１０】実施例２のテレビジョン装置の電子番組表表示手段で表示される電子番組表の一例を表す図
【図１１】実施例２のテレビジョン装置における処理の流れの一例を表すフローチャート
【図１２】実施例３のテレビジョン装置における特徴点の一例を説明するための概念図
【図１３】実施例３のテレビジョン装置における特徴点の、別の一例を説明するための概念図
【図１４】実施例３のテレビジョン装置における機能ブロックの一例を表す図
【図１５】実施例３のテレビジョン装置における処理の流れの一例を表すフローチャート
【図１６】実施例４の録画機器における機能ブロックの一例を表す図
【図１７】実施例４の録画機器におけるハードウェア構成の一例を表す図
【図１８】実施例４の録画機器における処理の流れの一例を表すフローチャート
【図１９】実施例５のセットトップボックス機器における機能ブロックの一例を表す図
【図２０】実施例５のセットトップボックス機器における処理の流れの一例を表すフローチャート
【符号の説明】
【００８８】
０２００  テレビジョン装置
０２０１  録画プロファイル取得部
０２０２  録画予約情報入力部
０２０３  命令生成部
０２０４  外部出力部
１６１０  録画機器
１６１１  第一録画プロファイル保持部
１６１２  第一録画プロファイル出力部
１９２０  セットトップボックス機器
１９２１  第二録画プロファイル保持部
１９２２  第二録画プロファイル出力部
【図１】
0004580895.tif 000002
【図２】
0004580895.tif 000003
【図３】
0004580895.tif 000004
【図４】
0004580895.tif 000005
【図５】
0004580895.tif 000006
【図６】
0004580895.tif 000007
【図７】
0004580895.tif 000008
【図８】
0004580895.tif 000009
【図９】
0004580895.tif 000010
【図１０】
0004580895.tif 000011
【図１１】
0004580895.tif 000012
【図１２】
0004580895.tif 000013
【図１３】
0004580895.tif 000014
【図１４】
0004580895.tif 000015
【図１５】
0004580895.tif 000016
【図１６】
0004580895.tif 000017
【図１７】
0004580895.tif 000018
【図１８】
0004580895.tif 000019
【図１９】
0004580895.tif 000020
【図２０】
0004580895.tif 000021